(57)【要約】【課題】非接触通信媒体を備えた携帯型端末を利用して、リーダライタを備えた商品販売装置から商品を購入する顧客に対してポイント・キャンペーンサービスを提供するポイント・キャンペーンサービスシステム等を提供する。【解決手段】自動販売機１０５は、現金での商品購入によりポイントを付与し携帯型端末１０３の非接触型ＩＣカード部１０７に書き込む。自動販売機１０５は、クーポンでの商品購入に対して、非接触型ＩＣカード部１０７のサーバ１０１からダウンロードされたクーポン情報５５０を読み取り、クーポン情報５５０を基に割引サービスを行う。携帯型端末１０３は、サーバ１０１からキャンペーン情報３５０を受信し、キャンペーン対象商品購入によりキャンペーンポイントが所定のポイント数分たまると、サーバ１０１にキャンペーン応募を行う。【選択図】図９
2007241925.tif 000002
【特許請求の範囲】
【請求項１】
ポイント・キャンペーンサービスを提供するサーバと、ネットワークを介して接続され、商品販売装置から商品を購入する際、前記商品販売装置のリーダライタと非接触通信を行う非接触通信媒体を備えた顧客の携帯型端末であって、
前記リーダライタが読み取り、書き込みを行う前記非接触通信媒体に保持する購入商品に関するサービス情報領域と、
前記商品販売装置からの商品購入に伴い、前記サービス情報領域に蓄積されたポイントを前記サーバに送信し、前記ポイントに応じた前記商品の割引サービスを提供するクーポン情報を取得し、前記サービス情報領域に保持するクーポン取得手段と、
前記サーバへのキャンペーン参加要求に対して、キャンペーンの応募用紙データに相当するキャンペーン情報を取得し、前記サービス情報領域に保持するキャンペーン参加手段と、
前記商品販売装置からのキャンペーン対象商品の購入に伴い、前記サービス情報領域に蓄積されたキャンペーンポイントが前記キャンペーン情報に示すポイント数分たまると、キャンペーン応募要求を前記サーバに送信するキャンペーン応募手段と、
を、具備することを特徴とする携帯型端末。
【請求項２】
前記非接触通信媒体は、非接触型ＩＣカードであることを特徴とする請求項１記載の携帯型端末。
【請求項３】
前記非接触通信媒体は、赤外線通信手段を有する前記携帯型端末であることを特徴とする請求項１記載の携帯型端末。
【請求項４】
顧客の非接触通信媒体を備える携帯型端末と、非接触通信を行うリーダライタを備え商品を販売する商品販売装置であって、
前記非接触通信媒体内の購入商品に関連するサービス情報領域を読み取り、前記サービス情報領域を書き換える読取／書込手段と、
商品購入に伴い、当該商品に応じてポイントを付与し、前記サービス情報領域に保持されているポイントに加算するポイント加算手段と、
購入商品がキャンペーン対象商品であれば、当該商品に応じてキャンペーンポイントを付与し、前記サービス情報領域に保持されているキャンペーンポイントに加算するキャンペーンポイント加算手段と、
購入商品がクーポン対象商品であれば、前記サービス情報領域に保持されているクーポン情報を基に、割引／無料サービスを行うクーポン利用手段と、
を、具備することを特徴とする商品販売装置。
【請求項５】
前記ポイント加算手段／前記キャンペーンポイント加算手段は、現金による商品購入により、ポイント／キャンペーンポイント加算を行うことを特徴とする請求項４記載の商品販売装置。
【請求項６】
前記キャンペーン対象商品は、前記サービス情報領域のキャンペーン情報内の利用可能条件を満たす商品であることを特徴とする請求項４記載の商品販売装置。
【請求項７】
前記クーポン対象商品は、前記サービス情報領域のクーポン情報内の利用可能条件を満たす商品であることを特徴とする請求項４記載の商品販売装置。
【請求項８】
前記利用可能条件は、有効期間、商品ＩＤ、商品単価、商品種別、エリア情報の少なくとも１つであることを特徴とする請求項６又は請求項７記載の商品販売装置。
【請求項９】
前記サービス情報領域に保持されている会員ＩＤを基に、ユーザ認証を行うことを特徴とする請求項４記載の商品販売装置。
【請求項１０】
商品購入に対する利用履歴情報を、前記サービス情報領域に書き込む利用履歴書込手段、
を、更に具備することを特徴とする請求項４記載の商品販売装置。
【請求項１１】
前記商品販売装置は、自動販売機であることを特徴とする請求項４記載の商品販売装置。
【請求項１２】
前記商品販売装置は、商品の精算処理を行うＰＯＳ端末であることを特徴とする請求項４記載の商品販売装置。
【請求項１３】
前記非接触通信媒体は、非接触型ＩＣカードであることを特徴とする請求項４記載の商品販売装置。
【請求項１４】
前記非接触通信媒体は、赤外線通信手段を有する前記携帯型端末であることを特徴とする請求項４記載の商品販売装置。
【請求項１５】
顧客の非接触通信媒体を備えた携帯型端末にネットワークを介して接続され、ポイント・キャンペーンサービスを提供するサーバであって、
前記商品の割引／無料サービスを提供するクーポン情報と、キャンペーンの応募用紙データに相当するキャンペーン情報と、を保持するデータベースと、
前記携帯型端末から送られた、商品販売装置からの商品購入に伴い蓄積されたポイントを基に、前記クーポン情報を前記携帯型端末に提供するクーポン提供手段と、
前記携帯型端末からのキャンペーン参加要求に伴い、前記キャンペーン情報を送信するキャンペーン提供手段と、
を、具備することを特徴とするサーバ。
【請求項１６】
予め、前記携帯型端末からの会員登録要求に伴い、受け取った個人情報を、会員情報として前記データベースに登録、保持し、会員ＩＤを発行する会員登録手段と、
を、更に具備することを特徴とする請求項１５記載のサーバ。
【請求項１７】
前記キャンペーン情報及び／又は前記クーポン情報を前記データベースに登録、保持する情報登録手段、
を、備え
前記情報登録手段は、キャンペーン及び／又はクーポンの利用可能条件を設定することを特徴とする請求項１５記載のサーバ。
【請求項１８】
顧客の非接触通信媒体を備えた携帯型端末と、ネットワークを介して接続されるサーバと、前記非接触通信媒体と非接触通信を行うリーダライタを備えた商品販売装置と、からなるポイント・キャンペーンサービスシステムであって、
前記サーバは、
前記商品の割引サービスを提供するクーポン情報と、キャンペーンの応募用紙データに相当するキャンペーン情報と、を保持するデータベースと、
前記携帯型端末から送られたポイントに応じた前記クーポン情報を前記携帯型端末に提供するクーポン提供手段と、
前記携帯型端末からのキャンペーン参加要求に伴い、前記キャンペーン情報を送信するキャンペーン提供手段と、を備え、
前記携帯型端末は、
前記非接触通信媒体に保持する購入商品に関連するサービス情報領域と、
前記商品販売装置からの商品購入に伴い、サービス情報領域に蓄積されたポイントを前記サーバに送信し、前記ポイントに応じたクーポン情報を取得し、前記サービス情報領域に保持するクーポン取得手段と、
前記サーバへのキャンペーン参加要求に対して、前記キャンペーン情報を取得し、前記サービス情報領域に保持するキャンペーン参加手段と、
前記商品販売装置からのキャンペーン対象商品の購入に伴い、前記サービス情報領域に蓄積されたキャンペーンポイントがキャンペーン情報に示すポイント数分たまると、キャンペーン応募要求を前記サーバに送信するキャンペーン応募手段と、を備え、
前記商品販売装置は、
前記非接触通信媒体から前記サービス情報領域を読み取り、前記サービス情報領域を書き換える読取／書込手段と、
商品購入に伴い、当該商品に応じてポイントを付与し、前記サービス情報領域に保持されているポイントに加算するポイント加算手段と、
購入商品がキャンペーン対象商品であれば、当該商品に応じてキャンペーンポイントを付与し、前記サービス情報領域に保持されているキャンペーンポイントに加算するキャンペーンポイント加算手段と、
購入商品がクーポン対象商品であれば、前記クーポン情報を基に、割引／無料サービスを行うクーポン利用手段と、
を具備することを特徴とするポイント・キャンペーンサービスシステム。
【請求項１９】
コンピュータを請求項１から請求項３いずれかに記載の携帯型端末として機能させるプログラム。
【請求項２０】
コンピュータを請求項１から請求項３いずれかに記載の携帯型端末として機能させるプログラムを記録した記録媒体。
【請求項２１】
コンピュータを請求項４から請求項１４いずれかに記載の商品販売装置として機能させるプログラム。
【請求項２２】
コンピュータを請求項４から請求項１４いずれかに記載の商品販売装置として機能させるプログラムを記録した記録媒体。
【請求項２３】
コンピュータを請求項１５から請求項１７いずれかに記載のサーバとして機能させるプログラム。
【請求項２４】
コンピュータを請求項１５から請求項１７いずれかに記載のサーバとして機能させるプログラムを記録した記録媒体。
【発明の詳細な説明】
【技術分野】
【０００１】
本発明は、非接触通信媒体（非接触型ＩＣカード）を備えた顧客の携帯型端末を利用して、リーダライタを備えた商品販売装置（自動販売機）から商品を購入する顧客に対してポイント、キャンペーンサービスを提供するポイント・キャンペーンサービスシステムに関する。
【背景技術】
【０００２】
昨今、インターネット等に代表されるネットワーク技術、携帯電話等が急速に普及に伴い、非接触型ＩＣカード機能を搭載した携帯型端末も実用化されており、携帯端末機とＩＣカードを別々に携帯する不便も解消されている。非接触型ＩＣカード機能を搭載した携帯型端末においては、携帯電話と改札機で非接触通信を行い乗車賃の決済をするシステムや、購入商品の代金の決済を行うシステム等の多機能な技術が公開されている。
【０００３】
また、現金が投入することにより自動的に所望する商品（例えば、飲料等）を販売する自動販売機は、様々なものが開発されており、数多く普及している。更に、前述したように、近年、電子マネーや定期券などの用途において非接触ＩＣカードの利用が普及してきており、電子マネーとして機能する非接触ＩＣカードを利用して商品販売が可能な自動販売機が幾つか存在する（例えば、特許文献１）。
【０００４】
また、従来、商品の販売促進を図るための、販売促進キャンペーンとして、商品の購入者が応募することにより、景品が当たる等のサービスが行われている。キャンペーンを実施する際は、応募者が買い上げた商品等に付されたシールや紙片を応募用紙や葉書等に貼りつけて郵送等で応募したり、パーソナルコンピュータや携帯電話等から、インターネット等を介して、キャンペーンを実施している所定のサイトにアクセスし、応募ＩＤ等を入力、応募し、所定の賞品と交換を行うシステムや、商品の販売に応じて付加価値となるポイントを購入者に付与し、ポイントに応じてサービスを還元する商品販売促進システムが存在する。更に、非接触型ＩＣカード機能を搭載した携帯電話に電子マネーが組み込まれており、携帯電話を用いてネットワークに接続された自動販売機において商品を購入した場合に、自動販売機および携帯電話のそれぞれがその商品購入情報を、サーバに送信してポイントを蓄えてポイントに応じてサービス還元するシステムが開示されている（例えば、特許文献２）。
【０００５】
【特許文献１】特開２００１−１６７３３１号公報
【特許文献２】特開２００２−４２２１６号公報
【発明の開示】
【発明が解決しようとする課題】
【０００６】
従来の販促手法においては、様々の手法、技術が模索されており、多数の顧客を自らの企業内に取り込むための具体的かつ有効な手法を提案・開発することが要望されており、また、他のシステムと差別化を図り、利用者による商品の購入意欲を促し、販売促進の実現が望まれている。
【０００７】
本発明は、以上の点に鑑みてなされたものであり、非接触通信媒体を備えた携帯型端末を利用して、リーダライタを備えた商品販売装置から商品を購入する顧客に対してポイント・キャンペーンサービスを提供するポイント・キャンペーンサービスシステム等を提供することを目的とする。
【課題を解決するための手段】
【０００８】
前述した目的を達成するために第１の発明は、ポイント・キャンペーンサービスを提供するサーバと、ネットワークを介して接続され、商品販売装置から商品を購入する際、前記商品販売装置のリーダライタと非接触通信を行う非接触通信媒体を備えた顧客の携帯型端末であって、前記リーダライタが読み取り、書き込みを行う前記非接触通信媒体に保持する購入商品に関するサービス情報領域と、前記商品販売装置からの商品購入に伴い、前記サービス情報領域に蓄積されたポイントを前記サーバに送信し、前記ポイントに応じた前記商品の割引サービスを提供するクーポン情報を取得し、前記サービス情報領域に保持するクーポン取得手段と、前記サーバへのキャンペーン参加要求に対して、キャンペーンの応募用紙データに相当するキャンペーン情報を取得し、前記サービス情報領域に保持するキャンペーン参加手段と、前記商品販売装置からのキャンペーン対象商品の購入に伴い、前記サービス情報領域に蓄積されたキャンペーンポイントが前記キャンペーン情報に示すポイント数分たまると、キャンペーン応募要求を前記サーバに送信するキャンペーン応募手段と、を具備することを特徴とする携帯型端末である。
【０００９】
第１の発明による携帯型端末は、ポイント・キャンペーンサービスを提供するサーバと、ネットワークを介して接続され、商品販売装置のリーダライタと非接触通信を行う非接触通信媒体を備え、リーダライタが読み取り、書き込みを行う非接触通信媒体に保持する購入商品に関するサービス情報領域を有し、商品販売装置からの商品購入に伴い、サービス情報領域に蓄積されたポイントをサーバに送信し、ポイントに応じた商品の割引サービスを提供するクーポン情報を取得し、サービス情報領域に保持し、サーバへのキャンペーン参加要求に対して、キャンペーンの応募用紙データに相当するキャンペーン情報を取得し、サービス情報領域に保持し、商品販売装置からのキャンペーン対象商品の購入に伴い、サービス情報領域に蓄積されたキャンペーンポイントがキャンペーン情報に示すポイント数分たまると、キャンペーン応募要求をサーバに送信する。
【００１０】
「商品販売装置」は、自動販売機、ＰＯＳ（Ｐｏｉｎｔ ｏｆ Ｓａｌｅｓ）端末等である。
「非接触通信媒体」は、「非接触型ＩＣカード」、「赤外線通信手段を有する携帯型端末」である。「非接触型ＩＣカード」は、カード内部にアンテナの役目を果たすコイルが内蔵されており、端末のリーダ／ライタから発生している磁界にカードをかざすと無線通信でデータのやりとりができる。非接触型ＩＣカードは、通信方式の違いによってＴｙｐｅ
Ａ、Ｔｙｐｅ Ｂ、ＦｅｌｉＣａ（商標）方式の３タイプに分類される。「赤外線通信手段」は、赤外線を利用した近距離のデータ通信を行う通信機能であり、例えばＩｒＤＡ（Ｉｎｆｒａｒｅｄ
Ｄａｔａ Ａｓｓｏｃｉａｔｉｏｎ）を用いた近距離通信である。
「携帯型端末」は、携帯電話やＰＤＡ（Ｐｅｒｓｏｎａｌ Ｄｉｇｉｔａｌ Ａｓｓｉｓｔａｎｃｅ）等であり、本発明で用いる携帯型端末は、非接触型ＩＣカードを備えた携帯型端末である。
「キャンペーン対象商品」は、サービス情報領域のキャンペーン情報内の利用可能条件を満たす商品であり、「キャンペーン情報」は、キャンペーン応募用紙に相当し、利用可能条件等を有する情報であり、有効期間、対象商品ＩＤ、対象商品単価、対象商品種別、対象エリア情報等の情報を有する。
「クーポン対象商品」は、サービス情報領域のクーポン情報内の利用可能条件を満たす商品であり、「クーポン情報」は、商品の割引／無料サービスを提供し、その利用可能条件を有する情報であり、有効期間、対象商品ＩＤ、対象商品単価、対象商品種別、対象エリア情報、有効回数等の情報を有する。
【００１１】
第１の発明では、商品購入により蓄積されたポイント／キャンペーンポイントに応じて、クーポンサービス、キャンペーンサービスを提供できるため、顧客にとって魅力の多いポイント・キャンペーンサービスシステムを提供可能となると共に、顧客に対して有効的な販売促進効果が得られる。
また、キャンペーン情報、クーポン情報に基づいて決定される、例えば対象エリア情報、有効期間等のサービス提供条件の提示により、利用者による商品購入意欲を刺激して、販売促進をより高めることが期待できるという効果を奏する。
更に、非接触型ＩＣカードを利用して対象となる特定メーカーの商品を購入することを促進して、顧客の囲い込みをすることができる。
【００１２】
また、第２の発明は、顧客の非接触通信媒体を備える携帯型端末と、非接触通信を行うリーダライタを備え商品を販売する商品販売装置であって、前記非接触通信媒体内の購入商品に関連するサービス情報領域を読み取り、前記サービス情報領域を書き換える読取／書込手段と、商品購入に伴い、当該商品に応じてポイントを付与し、前記サービス情報領域に保持されているポイントに加算するポイント加算手段と、購入商品がキャンペーン対象商品であれば、当該商品に応じてキャンペーンポイントを付与し、前記サービス情報領域に保持されているキャンペーンポイントに加算するキャンペーンポイント加算手段と、購入商品がクーポン対象商品であれば、前記サービス情報領域に保持されているクーポン情報を基に、割引／無料サービスを行うクーポン利用手段と、を具備することを特徴とする商品販売装置である。
【００１３】
また、商品購入に対する利用履歴情報を、前記サービス情報領域に書き込む利用履歴書込手段、を、更に具備することが望ましい。
また、前記ポイント加算手段／前記キャンペーンポイント加算手段は、現金による商品購入により、ポイント／キャンペーンポイント加算を行うことが望ましい。
【００１４】
第２の発明による商品販売装置は、顧客の非接触通信媒体を備える携帯型端末と、非接触通信を行うリーダライタを備え、非接触通信媒体内の購入商品に関連するサービス情報領域を読み取り、サービス情報領域を書き換え、商品購入に伴い、当該商品に応じてポイントを付与し、サービス情報領域に保持されているポイントに加算し、購入商品がキャンペーン対象商品であれば、当該商品に応じてキャンペーンポイントを付与し、サービス情報領域に保持されているキャンペーンポイントに加算し、購入商品がクーポン対象商品であれば、サービス情報領域に保持されているクーポン情報を基に、割引／無料サービスを行う。
【００１５】
また、第３の発明は、顧客の非接触通信媒体を備えた携帯型端末にネットワークを介して接続され、ポイント・キャンペーンサービスを提供するサーバであって、前記商品の割引サービスを提供するクーポン情報と、キャンペーンの応募用紙データに相当するキャンペーン情報と、を保持するデータベースと、前記携帯型端末から送られた、商品販売装置からの商品購入に伴い蓄積されたポイントを基に、前記クーポン情報を前記携帯型端末に提供するクーポン提供手段と、前記携帯型端末からのキャンペーン参加要求に伴い、前記キャンペーン情報を送信するキャンペーン提供手段と、を具備することを特徴とするサーバである。
【００１６】
また、予め、前記携帯型端末からの会員登録要求に伴い、受け取った個人情報を、会員情報として前記データベースに登録、保持し、会員ＩＤを発行する会員登録手段とを、更に具備することが望ましい。
また、前記キャンペーン情報及び／又は前記クーポン情報を前記データベースに登録、保持する情報登録手段、を、備え前記情報登録手段は、キャンペーン及び／又はクーポンの利用可能条件を設定することが望ましい。
【００１７】
第３の発明によるサーバは、非接触通信媒体を備えた顧客の携帯型端末にネットワークを介して接続され、商品の割引サービスを提供するクーポン情報と、キャンペーンの応募用紙データに相当するキャンペーン情報と、を保持するデータベースを有し、携帯型端末から送られた、商品販売装置からの商品購入に伴い蓄積されたポイントを基に、クーポン情報を携帯型端末に提供し、携帯型端末からのキャンペーン参加要求に伴い、キャンペーン情報を送信する。
【００１８】
また、第４の発明は、顧客の非接触通信媒体を備えた携帯型端末と、ネットワークを介して接続されるサーバと、前記非接触通信媒体と非接触通信を行うリーダライタを備えた商品販売装置と、からなるポイント・キャンペーンサービスシステムであって、前記サーバは、前記商品の割引サービスを提供するクーポン情報と、キャンペーンの応募用紙データに相当するキャンペーン情報と、を保持するデータベースと、前記携帯型端末から送られたポイントに応じた前記クーポン情報を前記携帯型端末に提供するクーポン提供手段と、前記携帯型端末からのキャンペーン参加要求に伴い、前記キャンペーン情報を送信するキャンペーン提供手段と、を備え、前記携帯型端末は、前記非接触通信媒体に保持する購入商品に関連するサービス情報領域と、前記商品販売装置からの商品購入に伴い、サービス情報領域に蓄積されたポイントを前記サーバに送信し、前記ポイントに応じたクーポン情報を取得し、前記サービス情報領域に保持するクーポン取得手段と、前記サーバへのキャンペーン参加要求に対して、前記キャンペーン情報を取得し、前記サービス情報領域に保持するキャンペーン参加手段と、前記商品販売装置からのキャンペーン対象商品の購入に伴い、前記サービス情報領域に蓄積されたキャンペーンポイントがキャンペーン情報に示すポイント数分たまると、キャンペーン応募要求を前記サーバに送信するキャンペーン応募手段と、を備え、前記商品販売装置は、前記非接触通信媒体から前記サービス情報領域を読み取り、前記サービス情報領域を書き換える読取／書込手段と、商品購入に伴い、当該商品に応じてポイントを付与し、前記サービス情報領域に保持されているポイントに加算するポイント加算手段と、購入商品がキャンペーン対象商品であれば、当該商品に応じてキャンペーンポイントを付与し、前記サービス情報領域に保持されているキャンペーンポイントに加算するキャンペーンポイント加算手段と、購入商品がクーポン対象商品であれば、前記クーポン情報を基に、割引／無料サービスを行うクーポン利用手段と、を具備することを特徴とするポイント・キャンペーンサービスシステムである。
【００１９】
第４の発明は、第１の発明の携帯型端末と、第２の発明の商品販売装置と、第３の発明のサーバとから構成されるポイント・キャンペーンサービスシステムに関する発明である。
【００２０】
第５の発明は、コンピュータを第１発明の携帯型端末として機能させるプログラムである。
第６の発明は、コンピュータを第１の発明の携帯型端末として機能させるプログラムを記録した記録媒体である。
第７の発明は、コンピュータを第２発明の商品販売装置として機能させるプログラムである。
第８の発明は、コンピュータを第２の発明の商品販売装置として機能させるプログラムを記録した記録媒体である。
第９の発明は、コンピュータを第３発明のサーバとして機能させるプログラムである。
第１０の発明は、コンピュータを第３の発明のサーバとして機能させるプログラムを記録した記録媒体である。
【００２１】
上述のプログラムをＣＤ−ＲＯＭ等の記録媒体に保持させて流通させてもよいし、このプログラムを通信回線を介して送受することもできる。
【発明の効果】
【００２２】
本発明は、以上の点に鑑みてなされたものであり、非接触通信媒体を備えた携帯型端末を利用して、リーダライタを備えた商品販売装置から商品を購入する顧客に対してポイント・キャンペーンサービスを提供するポイント・キャンペーンサービスシステム等を提供することができる。
【発明を実施するための最良の形態】
【００２３】
以下に、添付図面を参照しながら、本発明に係るポイント・キャンペーンサービスシステム等の好適な実施形態について詳細に説明する。尚、以下の説明および添付図面において、略同一の機能構成を有する構成要素については、同一の符号を付することにより重複説明を省略することにする。
【００２４】
図１は、本実施の形態に係るポイント・キャンペーンサービスシステム１００の概略構成を示す図である。図１は、ポイント・キャンペーンサービスシステム１００の１例であり、図１に示すように、ポイント・キャンペーンサービスシステム１００は、メーカー１０２が有するサーバ１０１、顧客１０４の携帯型端末１０３、自動販売機１０５、ネットワーク１０９等からなる。
【００２５】
ポイント・キャンペーンサービスシステム１００は、例えばインターネットなどのネットワーク１０９を介して、サーバ１０１と、携帯型端末１０３とが接続されて構成される。尚、ポイント・キャンペーンサービスシステム１００は、ＷＷＷ（Ｗｏｒｌｄ  Ｗｉｄｅ  Ｗｅｂ）技術を用いて実現した構成図である。
【００２６】
メーカー１０２は、自動販売機１０５で販売する商品を生産する企業であり、サーバ１０１を有する。サーバ１０１は、サーバコンピュータ等であり、Ｗｅｂサーバ１１０、ポイント・キャンペーンサービス提供手段１１１、データベースサーバ１１２、情報データベース３０１等を有する。
【００２７】
ポイント・キャンペーンサービス提供手段１１１は、Ｗｅｂサーバ１１０から呼び出され、データベースサーバ１１２を介して、情報データベース３０１に、携帯型端末１０３からの顧客１０４の会員情報登録、自動販売機１０５での商品購入により携帯型端末１０３に蓄積されたポイントの登録、保持を行い、保持されている、ポイントに応じたクーポン情報やキャンペーン情報を提供し、キャンペーン応募を受け付ける。
情報データベース３０１には、顧客１０４毎の会員情報、ポイント情報、利用履歴情報、クーポン情報、キャンペーン情報、キャンペーンコンテンツ情報等を有する（後述、詳しく説明する）。
【００２８】
顧客１０４は、自動販売機１０５から現金により商品１０を購入し、サーバ１０１を利用する利用者であり、携帯型端末１０３を有する。携帯型端末１０３には、非接触通信媒体である非接触型ＩＣカード部１０７を備え、商品販売装置である自動販売機１０５のリーダライタ部１０８と非接触通信を行う。また、携帯型端末１０３には、Ｗｅｂブラウザが搭載され、Ｗｅｂブラウザとして機能する。携帯型端末１０３は、Ｗｅｂブラウザを介して、サーバ１０１にアクセスし、会員登録要求を、サーバ１０１に送信し、ポイント・キャンペーンサービスを利用可能とするＩＣカード用のアプリケーションプログラムをダウンロードする。また、自動販売機１０５による商品購入の際、携帯型端末１０３を自動販売機１０５のリーダライタ部１０８にかざすことにより、ポイント、キャンペーンポイントを蓄積し、サーバ１０１に対して、クーポン情報取得要求や、キャンペーン応募を行う。
【００２９】
自動販売機１０５は、商品販売装置であり、現金による商品販売を行うと共に、リーダライタ部１０８を有し、携帯型端末１０３の非接触型ＩＣカード部１０７に対して、会員ＩＤ、ポイント情報、クーポン情報、キャンペーン情報等のサービス情報の読み取り、書き換えを行い、携帯型端末１０３の非接触型ＩＣカード部１０７を用いて購入商品に対するポイントサービス、クーポンによる割引サービスを可能とする。
【００３０】
尚、本実施の形態では、メーカー１０２のサーバ１０１が、情報データベース３０１を保持し、ポイントに応じたポイント・キャンペーンサービス提供を行ったが、ポイント・キャンペーンサービスシステムを管理し運用する仲介業者（図示せず）のサーバコンピュータが同様な処理を行い、メーカー１０２から登録した顧客１０４の購買情報に対して課金することもできる。
【００３１】
次に、サーバ１０１のハードウェア構成を説明する。図２は、サーバ１０１のハードウェア構成図である。
【００３２】
図２に示すように、サーバ１０１は、制御部２０１、記憶部２０２（ハードディスク）、メディア入出力部２０３（ドライブ装置）、通信制御部２０４（通信制御装置、通信ポート等）、入力部２０５（キーボード、マウス等）、プリンタポート２０６、表示部２０７（ディスプレイ）等が、バス２０９を介して接続される。
【００３３】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００３４】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図９乃至図１４参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３５】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、Ｗｅｂサーバ１１０、本コンピュータを適用するサーバ１０１が行う後述の各処理手段に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３６】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３７】
通信制御部２０４は、通信制御装置、通信ポート等を有し、サーバ１０１とネットワーク１０９間の通信を媒介する通信インタフェースであり、ネットワーク１０９を介して、サーバ１０１と、携帯型端末１０３の通信制御を行う。
【００３８】
入力部２０５は、データの入力を行い、例えば、キーボード、マウス等のポインティングデバイス、テンキー等の入力装置を有する。
【００３９】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００４０】
印刷部２０７は、プリンタであり、印刷出力処理を行う。
【００４１】
システムバス２０９は、各装置間の制御信号、データ信号等の授受を媒介する経路である。
【００４２】
次に、図３を参照しながら、サーバ１０１の記憶部２０２が保持する情報について説明する。図３は、記憶部２０２が保持する情報を示す図である。
【００４３】
図３に示すように、記憶装置２０２内には、情報データベース３０１、及び制御プログラム３９１、アプリケーションプログラム３９２、携帯用アプリケーションプログラム３９３等が格納されている。
【００４４】
図４は、情報データベース３０１のデータ構造を示す図である。
図４に示すように、情報データベース３０１は、会員情報３１０、ポイント情報３２０、利用履歴情報３３０、クーポン情報３４０、キャンペーン情報３５０、キャンペーンコンテンツ情報３６０等を有する。
【００４５】
会員情報３１０は、会員ＩＤ、顧客１０４の個人情報（氏名、生年月日、メールアドレス等）等からなる。
ポイント情報３２０は、会員ＩＤに対応付けられ、顧客１０４の購入商品に応じて蓄積されたポイントである。
利用履歴情報３３０は、会員ＩＤに対応付けられ、顧客１０４の携帯型端末１０３からのサーバ１０１アクセスによる利用状況を蓄積したログ情報である。
【００４６】
クーポン情報３４０は、商品を購入する際の割引／無料サービスを提供するクーポン内容、クーポン対象商品の条件を表す情報であり、クーポンＩＤ、有効期間、有効回数、使用可能な位置情報であるエリア情報（例えば、千葉県有効等）、クーポン対象商品コード、商品の有効単価、商品種別等の少なくとも１つの情報を有する。
キャンペーン情報３５０は、キャンペーン応募用紙、要領等に相当し、キャンペーン内容、キャンペーン対象商品の条件を表す情報であり、キャンペーンＩＤ、有効期間、キャンペーン対象商品コード、エリア情報、応募可能なキャンペーンポイント数等の少なくとも１つの情報を有する。
キャンペーンコンテンツ情報３６０は、キャンペーンＩＤに対応付けられたキャンペーンのコンテンツ情報である。
尚、情報データベース３０１のデータ構成は、この構成に限られるものではない。
【００４７】
制御プログラム３９１は、サーバ１０１であるコンピュータの各構成部分を駆動制御するプログラムである。
アプリケーションプログラム３９２は、Ｗｅｂサーバ、ポイント・キャンペーンサービス提供手段、データベースサーバ、及び携帯型端末１０３で実行する携帯型端末用アプリケーションプログラム（ポイント・キャンペーンサービスプログラム）等の実行可能プログラムである（後述、各処理を説明する）。
【００４８】
次に、図５を参照しながら、携帯型端末１０３のハードウェア構成を説明する。図５は、携帯型端末１０３のハードウェア構成図である。
顧客１０４の携帯型端末１０３は、非接触型ＩＣカード部１０７を搭載し、例えば、携帯電話である。携帯型端末１０３は、制御部４０１、記憶部４０２、送受話部４０３、送受信部４０４、入力部４０５、表示部４０６、ＩＣカードＩ／Ｆ部４０７、アンテナ４１０、非接触型ＩＣカード部１０７等からなる。
【００４９】
制御部４０１は、ＣＰＵ、ＲＯＭ、ＲＡＭ等で構成され、記憶部４０２に格納されたプログラムに従って、各装置を駆動制御する。
【００５０】
記憶部４０２には、各構成部分を駆動制御する制御プログラムが格納される。
【００５１】
これらの各プログラムコードは、制御部４０１により必要に応じて読み出されてＲＡＭに移され、ＣＰＵに読み出されて各種の手段として実行される。
【００５２】
送受話部４０３は、スピーカなどの受話器、マイクなどの送話器である。
【００５３】
送受信部４０４は、携帯型端末１０３とネットワーク１０９間の通信を媒介する通信インタフェースであり、アンテナ４１０、ネットワーク１０９を介して、携帯型端末１０３と、サーバ１０１間の通信制御を行う。
入力部４０５は、データの入力を行い、例えば、操作キー、操作ボタン等であり、表示部４０６（ディスプレイ）に表示された操作案内、各種処理、操作を行う。
ＩＣカードＩ／Ｆ部４０７は、非接触型ＩＣカード部１０７と接触端子を通じてデータの授受を行うことにより通信を行うための接続部である。
【００５４】
非接触型ＩＣカード部１０７は、カード内部にアンテナの役目を果たすコイルが内蔵されており、端末のリーダライタから発生している磁界にカードをかざすと無線通信でデータのやりとりを行う。非接触型ＩＣカード１０７は、データの読み書きができる距離や通信方式の違いによって、より細かく分類されている。まず距離の違いによって「密着型（〜２ｍｍ）」「近接型（〜１０ｍｍ）」「近傍型（〜７０ｍｍ）」などのタイプがあり、また、通信方式の違いによってＴｙｐｅ Ａ、Ｔｙｐｅ Ｂ、ＦｅｌｉＣａ（商標）方式の３タイプがある。
非接触型ＩＣカード部１０７は、制御部５０１、メモリ部５０２、接触Ｉ／Ｆ部５０３、非接触型ＩＣ無線通信部５０４、非接触型ＩＣアンテナ５０５等からなる。
【００５５】
制御部５０１は、ＣＰＵ、ＲＯＭ、ＲＡＭ等で構成され、メモリ部５０２に格納されたプログラムに従って、非接触型ＩＣカード部１０７を駆動制御する。
メモリ部５０２は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）からなり、データ記憶領域である。
接触Ｉ／Ｆ部５０３は、携帯型端末１０３のＩＣカードＩ／Ｆ部４０７を介してデータにより接触通信を行う。
非接触型ＩＣ無線通信部５０４は、非接触型ＩＣアンテナ５０５を介して自動販売機１０５のリーダライタ部１０８との非接触通信を行う。
【００５６】
図６は、非接触型ＩＣカード部１０７のデータ構造の一態様を示す図である。
図６に示すように、非接触型ＩＣカード部１０７は、ＣＰＵ５１１、ＲＯＭ５１２、ＲＡＭ５１３、ＥＥＰＲＯＭ５１４等からなる。
【００５７】
ＲＯＭ５１２には、アプリケーションの追加・削除が可能なプラットフォーム型ＯＳを格納する。
ＥＥＰＲＯＭ５１４には、プラットフォーム型ＯＳに対応したアプリケーション５１５を複数搭載可能とする。例えば、アプリケーション５１５として、ＩＣカード用ポイント・キャンペーンサービスアプリケーションプログラム５２０、サービス情報領域５３０を搭載、格納する。これらの情報は、携帯型端末１０３によってダウンロードされた情報を、制御部４０１を介して記憶する。
【００５８】
尚、非接触型ＩＣカード部１０７のデータ構造は、この構成に限られるものではない。
【００５９】
図７は、非接触型ＩＣカード部１０７のサービス情報領域５３０のデータ構造の一態様を示す図である。
図７に示すように、サービス情報領域５３０は、顧客１０４の商品購入に関連する情報であり、会員ＩＤ５３１、ポイント情報５４０、クーポン情報５５０、キャンペーン情報５６０、キャンペーンポイント情報５７０、利用履歴情報５８０等からなる。
サービス情報領域５３０には、携帯型端末１０３からサーバ１０１への会員登録時、フォーマット化し、初期値を設定し、発行された会員ＩＤ５３１を格納する。また、商品購入時、自動販売機１０５のリーダライタ部１０８により、ポイント情報５４０、クーポン情報５５０、キャンペーン情報５６０、キャンペーンポイント情報５７０、利用履歴情報５８０等の読み取り／書き換えを行う。
【００６０】
また、この非接触型ＩＣカード部１０７は、携帯型端末１０３から脱着可能に設けられてもよい。
【００６１】
次に、図８を参照しながら、自動販売機１０５のハードウェア構成を説明する。図８は、自動販売機１０５のハードウェア構成図である。
自動販売機１０５は、制御部６０１、記憶部６０２、ＩＣカードリーダライタ６０３、表示部６０４、商品選択ボタン部６０５、コイン処理部６０６、紙幣処理部６０７、商品搬出部６０８等が、バス６１０を介して接続される。
【００６２】
制御部６０１は、ＣＰＵ、ＲＯＭ、ＲＡＭ等で構成され、記憶部６０２に格納されたプログラムに従って、各装置を駆動制御する。
【００６３】
記憶部６０２には、各構成部分を駆動制御する制御プログラム、アプリケーションプログラム、及び販売商品の購買情報、購買ログ情報６２０が格納される。購買情報は、販売する商品情報であり、商品コード、金額、エリア情報等の情報を有する。購買ログ情報６２０は、会員ＩＤ、商品コード、金額、日時、クーポンＩＤ等の情報を有する。
尚、購買情報は、例えば、自動販売機１０５に商品を搬入する際、取得し、記憶しておく。また、本実施の形態では、各商品１０の購買情報毎にエリア情報を設定したが、これに限らず、自動販売機１０５のシステム情報として、当該自動販売機１０５の設置した位置情報により、エリア情報を設定してもよい。
【００６４】
ＩＣカードリーダライタ６０３は、非接触型ＩＣアンテナ６０９と接続され、非接触型ＩＣカード部１０７と無線通信でデータのやりとりを行い、非接触型ＩＣカード部１０７からのデータの読み取り処理、及び書き込み処理を行う。
【００６５】
表示部６０４は、例えばＬＥＤにより構成され、商品の販売に関する情報、例えば投入金額、支払い金額、非接触型ＩＣカードをかざす旨の要求等を表示する。
商品選択ボタン部６０５は、複数の商品１０に対応付けた商品選択ボタン１１からなる。また、商品選択ボタン部６０５には、対応する商品１０が販売可能であることを表示するためのランプが設けられている。
【００６６】
コイン処理部６０６はコインメックを制御し、硬貨投入を受け付け、釣銭払い出し等を行う。紙幣処理部６０７はビルバリを制御し、紙幣挿入を受け付け、釣札の払い出し等を行う。
商品搬出部６０８は、商品選択ボタン１１押下により選択された商品１０を取り出し口に搬出する。
【００６７】
次に、図９を参照しながら、ポイント・キャンペーンサービスシステム１００全体の処理の流れと処理手段について説明する。図９は、ポイント・キャンペーンサービスシステム１００全体の処理の流れと処理手段を示す図である。
【００６８】
サーバ１０１は、会員登録手段１２１、ポイント登録手段１２２、クーポン提供手段１２３、キャンペーン提供手段１２４、キャンペーン応募受付手段１２５、利用履歴管理手段１２６等を有する。
【００６９】
会員登録手段１２１は、携帯型端末１０３からの、会員登録要求に伴い、入力した登録情報を、情報データベース３０１の会員情報３１０に登録、保持し、会員ＩＤを発行し、携帯型端末用アプリケーションプログラム、サービス情報領域５３０の初期値をダウンロードする。
ポイント登録要求手段１２２は、携帯型端末１０３からのポイント登録要求（ポイント情報５４０のアップロード）に伴い、情報データベース３０１の顧客１０４に対応付けるポイント情報３１０に、ポイントを蓄積する。
クーポン提供手段１２３は、ポイント登録手段１２２によるポイント登録後、携帯型端末１０３からのクーポン取得要求に伴い、ポイントに応じたクーポン情報３４０を送信する。
キャンペーン提供手段１２４は、携帯型端末１０３からのキャンペーン参加要求に伴い、情報データベース３０１からキャンペーンの応募用紙データに相当するキャンペーン情報３５０を提供する。
キャンペーン応募受付手段１２５は、携帯型端末１０３からのキャンペーン応募（所定のキャンペーンポイント）に伴い、キャンペーン応募を受け付け、該当する情報データベース３０１のキャンペーンコンテンツ情報３６０を提供する。
利用履歴管理手段１２６は、携帯型端末１０３の利用履歴情報３３０を情報データベース３０１に管理、保持する。
【００７０】
携帯型端末１０３は、会員登録要求手段１３１、ポイント登録要求手段１３２、クーポン取得要求手段１３３、キャンペーン参加手段１３４、キャンペーン応募手段１３５等を有する。
【００７１】
会員登録要求手段１３１は、会員登録要求、入力した個人情報を、サーバ１０１に送信する。会員登録後、ダウンロードされたアプリケーションプログラム、サービス情報領域５３０をセットアップする。
ポイント登録要求手段１３２は、自動販売機１０５による商品購入に伴い、サービス情報領域５３０に蓄積されたポイントの登録要求をサーバ１０１に送信する（ポイント情報５４０アップロード）。
クーポン取得要求手段１３３は、サーバ１０１にクーポン情報取得要求を送信し、ポイント登録要求手段１３２により登録したポイントに応じてクーポン情報３４０を取得し、サービス情報領域５３０に保持する。
キャンペーン参加手段１３４は、キャンペーン参加要求をサーバ１０１に送信し、キャンペーン情報３５０を取得し、サービス情報領域５３０に保持する。
キャンペーン応募手段１３５は、自動販売機１０５によるキャンペーン対象商品の購入に伴い、サービス情報領域５３０に蓄積されたキャンペーンポイントが所定のポイントになると、キャンペーン応募をサーバ１０１に送信する。
更に、商品購入のサービス情報の表示手段として、非接触型ＩＣカード部１０７のサービス情報領域５３０に保持したポイント情報５４０表示手段、クーポン情報５５０表示手段、利用履歴情報５８０表示手段等を有する。
【００７２】
自動販売機１０５は、ＩＣカード読取／書込手段１４１、クーポン利用手段１４２、ポイント加算手段１４３、キャンペーンポイント加算手段１４４、利用履歴作成手段１４５、購買ログ取得手段１４６等を有する。
【００７３】
ＩＣカード読取／書込手段１４１は、携帯型端末１０３の非接触型ＩＣカード部１０７のサービス情報領域５３０を読み取り、クーポン利用手段１４２、ポイント加算手段１４３、キャンペーンポイント加算手段１４４、利用履歴作成手段１４５等により、書き換えた情報を非接触型ＩＣカード部１０７のサービス情報領域５３０に書き換える。
クーポン利用手段１４２は、販売商品がクーポン対象商品であれば、クーポン情報を基に、割引サービスを行い、サービス情報領域５３０に保持されている当該クーポン情報を書き換える。
ポイント加算手段１４３は、販売商品に応じてポイントを付与し、サービス情報領域５３０に保持されているポイントに加算する。
キャンペーンポイント加算手段１４４は、販売商品がキャンペーン対象商品であれば、販売商品に応じてキャンペーンポイントを付与し、サービス情報領域５３０に保持されているキャンペーンポイントに加算する。
利用履歴作成手段１４５は、サービス情報領域５３０の利用履歴情報５８０として、顧客１０４の商品購入の履歴情報を作成する。
購買ログ取得情報１４６は、自動販売機１０５の記憶部６０２に、商品動向、顧客の動向等を解析するための、販売商品の購買ログ情報６２０を保持する。
【００７４】
次に、図１０を参照しながら、会員登録処理の処理手順について詳しく説明する。図１０は、会員登録処理の処理手順の処理手順を示すフローチャートである。
【００７５】
サーバ１０１の記憶部２０２には、ポイント・キャンペーンサービスプログラム、Ｗｅｂサーバの実行可能プログラムが格納されている。以下のサーバ１０１の処理は、この実行可能プログラムの制御に従って、サーバ１０１の制御部２０１によって行われる。
携帯型端末１０３の記憶部４０２には、サーバ１０１からダウンロードされた携帯型端末用ポイント・キャンペーンサービスプログラム、Ｗｅｂブラウザの実行可能プログラムが格納されている。以下のサーバ１０１の処理は、この実行可能プログラムの制御に従って、携帯型端末１０３の制御部４０１によって行われる。
以降、携帯型端末１０３とサーバ１０１との間でのデータの送受信は、ＷｅｂブラウザとＷｅｂサーバを介して行われる。
【００７６】
顧客１０４の携帯型端末１０３の制御部４０１は、夫々Ｗｅｂブラウザを介して、サーバ１０１の所定サイトにアクセスし、会員登録要求を行い、入力した登録情報を送信する（ステップＳ１００１）。
サーバ１０１の制御部２０１は、受け取った登録情報を情報データベース３０１の会員情報３１０に登録、保持し（ステップＳ１００２）、会員ＩＤを発行するステップＳ１００３）。
携帯型端末１０３の制御部４０１は、サーバ１０１から発行された会員ＩＤをサービス情報領域５３０に格納する（ステップＳ１００４）。
【００７７】
サーバ１０１の制御部２０１は、携帯型端末用アプリケーションプログラム（ポイント・キャンペーンサービスプログラム）を、携帯型端末１０３にダウンロードする（ステップＳ１００５）。
携帯型端末１０３の制御部４０１は、受信した携帯用アプリケーションプログラム（ポイント・キャンペーンサービスプログラム）を記憶部に格納し、実行させる（ステップＳ１００６）。
【００７８】
制御部４０１は、サーバ１０１からのＩＣカードのサービス情報領域の初期値を受信し、非接触型ＩＣカード部１０７のメモリ部５０２にサービス情報領域５３０をセットアップし、初期値を設定する（ステップＳ１００７、Ｓ１００８）。
【００７９】
次に、図１１、図１２を参照しながら、自動販売機１０５の商品販売処理の処理手順について詳しく説明する。図１１、図１２は、自動販売機１０５の商品販売処理の処理手順を示すフローチャートである。
【００８０】
自動販売機１０５の記憶部６０２には、制御プログラムが格納されている。以下の自動販売機１０５の処理は、この実行可能プログラムの制御に従って、自動販売機１０５の制御部６０１によって行われる。
【００８１】
自動販売機１０５の制御部６０１は、現金が投入される、或いはいずれかの商品選択ボタン１１が押下されるのを待つ待ち状態である（ステップＳ１１０１、ステップＳ１１０９）。現金が投入されると、「ポイント（或いはキャンペーンポイント）加算を行う現金モード」となり、現金が投入されず商品選択ボタン１１が押下されると、「クーポン利用モード」と判断する。
【００８２】
＜ポイント（或いはキャンペーンポイント）加算を行う現金モードの場合＞
顧客１０４は現金を投入する（ステップＳ１１３１）。
顧客１０４により現金が投入されと（ステップＳ１１０１のＹｅｓ）、自動販売機１０５の制御部６０１は、いずれかの商品選択ボタン１１が押下されるのを待つ（ステップ１１０２）。
顧客１０４は自動販売機１０５の所望する商品１０の商品選択ボタン１１を押下する（ステップＳ１１３２）。
【００８３】
自動販売機１０５の制御部６０１は商品選択ボタン１１が押下されると（ステップＳ１１０２のＹｅｓ）、リーダライタ部１０８に携帯型端末１０３がかざされるのを待つ（ステップＳ１１０３）。顧客１０４に非接触型ＩＣカードをかざす旨を知らせるのに、例えば、リーダライタ部１０８にランプを点灯させたり、表示部６０４にその旨を表示する。
【００８４】
顧客１０４は、携帯型端末１０３を自動販売機１０５のリーダライタ部１０８に携帯型端末１０３をかざす（ステップＳ１１３３）。
【００８５】
自動販売機１０５の制御部６０１は、携帯型端末１０３をリーダライタ部１０８にかざすことにより、非接触型ＩＣカード部１０７の接近を検出すると（ステップＳ１１０３のＹｅｓ）、非接触型ＩＣカード部１０７に検出信号を送信し、非接触型ＩＣカード部１０７のサービス情報領域５３０を読み取り、一時的にバッファ上に格納する（ステップＳ１１０４）。
【００８６】
制御部６０１は、読み取ったサービス情報領域５３０の会員ＩＤ５３１に基づいて、ユーザ認証を行う（ステップＳ１１０５）。
正当であれば（ステップ１１０５のＹｅｓ）、選択商品がキャンペーン対象商品か判断する（ステップＳ１１０６）。制御部６０１は、バッファ上の読み取ったサービス情報領域５３０のキャンペーン情報５６０と、記憶部６０２の選択商品の購買情報を参照し、選択商品が保持されている条件を満たす商品であるか否か判定する。キャンペーン情報５６０は、キャンペーンＩＤ、有効期間、キャンペーン対象商品コード、エリア情報、応募可能なキャンペーンポイント数等の情報を有し、例えば、有効期間、キャンペーン対象商品コード、エリア情報等のチェックを行う。
【００８７】
商品がキャンペーン対象商品である場合（ステップＳ１１０６のＹｅｓ）、制御部６０１は、バッファ上の読み取ったサービス情報領域５３０のキャンペーン情報５６０に、選択商品に応じたキャンペーンポイントを加算する（ステップＳ１１０７）。
商品がキャンペーン対象商品でない場合（ステップＳ１１０６のＮｏ）、制御部６０１は、バッファ上の読み取ったサービス情報領域５３０のポイント情報５４０に、選択商品に応じたポイントを加算する（ステップＳ１１０８）。
制御部６０１は、ステップＳ１１１９へ移行し、利用履歴情報作成を行う。
【００８８】
＜クーポン利用モードの場合＞
現金が投入されず（ステップＳ１１０１のＮｏ）、商品選択ボタン１１が押下されると（ステップＳ１１０９のＹｅｓ）、クーポン利用モードと判断し、リーダライタ部１０８に携帯型端末１０３がかざされるのを待つ（ステップＳ１１１０）。顧客１０４に非接触型ＩＣカードをかざす旨を知らせるのに、例えば、リーダライタ部１０８にランプを点灯させたり、表示部６０４にその旨を表示する。
【００８９】
自動販売機１０５の制御部６０１は、携帯型端末１０３をリーダライタ部１０８にかざすことにより、非接触型ＩＣカード部１０７の接近を検出すると（ステップＳ１１１０のＹｅｓ）、非接触型ＩＣカード部１０７に検出信号を送信し、非接触型ＩＣカード部１０７のサービス情報領域５３０を読み取り、一時的にバッファ上に格納する（ステップＳ１１１１）。
【００９０】
制御部６０１は、読み取ったサービス情報領域５３０の会員ＩＤ５３１に基づいて、ユーザ認証を行う（ステップＳ１１１２）。
正当であれば（ステップ１１１２のＹｅｓ）、制御部６０１は、選択商品がクーポン対象商品であるか判定する（ステップＳ１１１３）。制御部６０１は、バッファ上の読み取ったサービス情報領域５３０のクーポン情報５５０と、記憶部６０２の選択商品の購買情報を参照し、選択商品が保持されている条件を満たす商品であるか否か判定する。クーポン情報５５０は、クーポンＩＤ、有効期間、有効回数、使用可能な位置情報であるエリア情報（例えば、千葉県有効等）、有効商品コード、商品の有効単価、商品種別等の情報を有し、例えば、有効期間、エリア情報、商品の有効単価等のチェックを行う。
【００９１】
選択商品がクーポン対象商品でない場合（ステップＳ１１１３のＮｏ）、ステップＳ１１０１に移行し、現金が投入されるのを待つ。
【００９２】
選択商品がクーポン対象商品である場合（ステップＳ１１１３のＹｅｓ）、制御部６０１は、当該クーポン情報を基に、割引サービスを行い、購入を希望する商品の購入金額を算出し（ステップＳ１１１４）、バッファ上の当該クーポン情報を利用済みに設定する（ステップＳ１１１５）。クーポン無料券を利用した（購入金額＝０円）場合（ステップＳ１１１６のＹｅｓ）、ステップＳ１１１９へ移行し、利用履歴情報作成を行う。
【００９３】
クーポン割引券を利用した（購入金額≠０円）場合（ステップＳ１１１６のＮｏ）、制御部６０１は、表示部６０４に購入金額を表示し（ステップＳ１１１７）、現金が投入されるのを待つ（ステップＳ１１１８）。
顧客１０４は現金を投入する（ステップＳ１１３４）。
【００９４】
顧客１０４により現金が投入される場合（ステップＳ１１１８のＹｅｓ）、クーポン無料券を利用した（購入金額＝０円）場合（ステップＳ１１１６のＹｅｓ）、又はポイント（或いはキャンペーンポイント）加算を行った現金モードの場合（ステップ１１０８）、制御部６０１は、バッファ上の読み取ったサービス情報領域５３０の利用履歴情報５７０に、購入商品に対する利用履歴情報５３０を追加する（ステップＳ１１１９）。
【００９５】
顧客１０４が携帯型端末１０３をリーダライタ部１０８にかざすことにより（ステップＳ１１３５）、自動販売機１０５の制御部６０１は、非接触型ＩＣカード部１０７の接近を検出すると（ステップＳ１１２０のＹｅｓ）、非接触型ＩＣカード部１０７に検出信号を送信し、バッファ上の書き換えたサービス情報領域の情報を、携帯型端末１０３の非接触型ＩＣカード部１０７のサービス情報領域５３０に書き込む（ステップＳ１１２１）。
【００９６】
制御部６０１は、選択商品の商品搬出処理を行い（ステップＳ１１２２）、記憶部６０２に、販売した商品の購買ログ情報６２０を作成、保持する（ステップＳ１１２３）。購買ログ情報６２０は、会員ＩＤ、商品コード、金額、日時、クーポンＩＤ等の情報を有する。
顧客１０４は、商品を取り出す（ステップＳ１１３６）。
【００９７】
尚、本実施の形態では、自動販売機１０５での商品購入の際、商品選択ボタン押下後、携帯型端末１０３をかざし、クーポン情報利用有無をチェックし、代金の割引／無料等のサービスを行い、現金を投入し商品を購入する操作手順であるが、これに限るわけではない。例えば、通常の自動販売機同様に、現金投入待ち状態とし、現金投入後、所望する商品の商品選択ボタンを押下し、携帯型端末１０３をかざし、クーポン情報に対して代金の割引／無料等のサービスを行ってもよい。
【００９８】
次に、図１３を参照しながら、携帯型端末１０３とサーバ１０１間におけるポイントアップロードによるポイント登録処理とクーポン提供処理の処理手順について詳しく説明する。図１３は、ポイント登録処理とクーポン提供処理の処理手順を示すフローチャートである。
【００９９】
自動販売機１０５での商品購入後、携帯型端末１０３の制御部４０１は、商品購入により蓄積されたサービス情報領域５３０のポイント情報５４０をサーバ１０１に送信（アップロード）し、ポイント登録要求を行う（ステップＳ１３０１）。
サーバ１０１の制御部２０１は、受け取ったポイント情報を情報データベース３０１の顧客１０４（携帯型端末１０３）に対応付けられるポイント情報３２０に加算し、保持する（ステップＳ１３０２）。
携帯型端末１０３の制御部４０１は、サービス情報領域５３０のポイント情報５４０からアップロードしたポイントを減算し、更新する（ステップＳ１３０３）。
【０１００】
また、携帯型端末１０３の制御部４０１は、サーバ１０１へポイント蓄積後、クーポン取得要求を行う（ステップＳ１３１１）。
サーバ１０１の制御部２０１は、情報データベース３０１の該当するポイント情報３２０のポイントに応じて、クーポン情報３４０を情報データベース３０１から取得し、ダウンロードする（ステップＳ１３１２）。クーポン情報３４０は、商品を購入する際の割引／無料サービスを提供するクーポン内容、クーポン対象商品の条件を表す情報であり、クーポンＩＤ、有効期間、有効回数、使用可能な位置情報であるエリア情報、クーポン対象商品コード、商品の有効単価、商品種別等の情報を有する。制御部２０１は、クーポン情報３４０に還元したポイント数を減算し、情報データベース３０１の当該ポイント情報３２０の更新を行う（ステップＳ１３１３）。
携帯型端末１０３の制御部４０１は、受け取ったクーポン情報をサービス情報領域５３０に保持する（ステップＳ１３１４）。
【０１０１】
尚、本実施の形態では、携帯型端末１０３は、サーバ１０１に、ポイントをアップロードして、情報データベース３０１に顧客１０４毎に蓄積し、クーポン取得要求に対して、情報データベース３０１のポイント情報３２０を基に、クーポン情報３４０を提供したが、これに限らない。例えば、携帯型端末１０３は、ポイント情報をサーバ１０１にアップロードし、サーバ１０１は、受け取ったポイント情報を基に、その都度、クーポン情報３４０を提供してもよい。
【０１０２】
次に、図１４を参照しながら、携帯型端末１０３とサーバ１０１間におけるキャンペーン応募処理の処理手順について詳しく説明する。図１４は、キャンペーン応募処理の処理手順を示すフローチャートである。
【０１０３】
携帯型端末１０３の制御部４０１は、サーバ１０１へキャンペーン取得要求を行う（ステップＳ１４０１）。
サーバ１０１の制御部２０１は、情報データベース３０１からキャンペーン情報３５０を取得し、ダウンロードする（ステップＳ１４０２）。キャンペーン情報３５０は、キャンペーン応募用紙、要領等に相当し、キャンペーン内容、キャンペーン対象商品の条件を表す情報であり、キャンペーンＩＤ、有効期間、キャンペーン対象商品コード、エリア情報、応募可能なキャンペーンポイント数等の少なくとも１つの情報を有する。
携帯型端末１０３の制御部４０１は、受け取ったャンペーン情報をサービス情報領域５３０のキャンペーン情報５６０に保持する（ステップＳ１４０３）。
【０１０４】
前述したように（図１１、図１２）、携帯型端末１０３は、自動販売機１０５でのキャンペーン対象商品の購入により、サービス情報領域５３０にキャンペーンポイント情報５７０を蓄積する（ステップＳ１４０４）。
携帯型端末１０３の制御部４０１は、キャンペーン応募可能か判定する（ステップＳ１４０５）。キャンペーンポイントがキャンペーン情報５７０に示す、応募可能なポイント数分たまると（ステップＳ１４０５のＹｅｓ）、制御部４０１は、キャンペーン情報５７０、キャンペーン応募をサーバ１０１に送信する（ステップＳ１４０６）。
サーバ１０１の制御部２０１は、受け取ったキャンペーン情報に基づいて、キャンペーン応募受付処理を行う（ステップＳ１４０７）。制御部２０１は、キャンペーンＩＤに対応付けたキャンペーンコンテンツ情報３６０や、サービス、景品等を提供する（ステップＳ１４０８）。
携帯型端末１０３の制御部４０１は、キャンペーンコンテンツ情報３６０や、サービス、景品等を取得する（ステップＳ１４０９）。
【０１０５】
更に、サーバ１０１は、管理モードにおいて、情報データベース３０１にクーポン情報やキャンペーン情報を登録可能とし、有効期間、有効回数、エリア情報、応募可能なポイント数等の情報を設定、保持する。
【０１０６】
以上説明したように、本発明の実施の形態によれば、リーダライタ部１０８を備えた自動販売機１０５は、顧客１０４による現金での商品購入により、商品に応じたポイント／キャンペーンポイントを付与し、顧客１０４の携帯型端末１０３の非接触型ＩＣカード部１０７に書き込む。携帯型端末１０３は、サーバ１０１へ蓄積されたポイントのアップロードを行い、サーバ１０１からポイントに応じたクーポン情報３４０を取得し、非接触型ＩＣカード部１０７に保持する。自動販売機１０５は、顧客１０４によるクーポンでの商品購入に対して、非接触型ＩＣカード部１０７のクーポン情報を読み取り、購入商品がクーポン対象商品であれば、クーポン情報を基に、割引／無料サービスを行う。また、携帯型端末１０３は、サーバ１０１へキャンペーン参加要求を送信し、情報データベース３０１からキャンペーンの応募用紙データに相当するキャンペーン情報３５０を受信し、非接触型ＩＣカード部１０７に保持する。携帯型端末１０３は、キャンペーン対象商品の購入により、キャンペーンポイントが所定のポイント数たまると、サーバ１０１にキャンペーン応募を行い、サーバ１０１は、該当する情報データベース３０１のキャンペーンコンテンツ情報３６０やサービスを提供する。
【０１０７】
これにより、商品購入により蓄積されたポイント／キャンペーンポイントに応じて、クーポンサービス、キャンペーンサービス等を提供でき、顧客にとって魅力の多いポイント・キャンペーンサービスシステムを提供可能となると共に、顧客に対して有効的な販売促進効果が得られる。
また、キャンペーン情報、クーポン情報に基づいて決定される、例えば対象エリア情報、有効期間等のサービス提供条件の提示により、利用者による商品購入意欲を刺激して、販売促進をより高めることが期待できるという効果を奏する。
更に、非接触型ＩＣカードを利用して対象となる特定メーカーの商品を購入することを促進して、顧客の囲い込みをすることができる。
また、自動販売機の購買ログ情報の取得により、商品動向、消費者の動向等を解析可能となり、今後の販売計画および販売管理が容易となるという効果を奏する。
【０１０８】
尚、本実施の形態では、非接触通信媒体として、非接触型ＩＣカードを用いたが、非接触通信媒体として、赤外線通信手段を備えた携帯型端末を使用して、近距離通信を行ってもよい。尚、この場合には、自動販売機には、赤外線通信ポートである通信部が備えられている。
【０１０９】
また、本実施の形態では、商品販売装置としてリーダライタ部を備えた自動販売機を用いて、現金による商品販売を行うと共に、リーダライタ部による、携帯型端末１０３の非接触型ＩＣカード部１０７を用いて購入商品に対するポイントサービス、クーポンによる割引サービスを可能としたが、商品販売装置として、店舗等のＰＯＳ（Ｐｏｉｎｔ
ｏｆ Ｓａｌｅｓ）端末、キャンペーン端末にＩＣカードのリーダライタ部を備え、携帯型端末１０３の非接触型ＩＣカード部１０７を用いて購入商品に対するポイントサービス、クーポンによる割引サービスを提供してもよい。
【０１１０】
また、本実施の形態では、メーカー１０２のサーバ１０１が、情報データベース３０１を保持し、ポイントに応じたポイント・キャンペーンサービス提供を行ったが、ポイント・キャンペーンサービスシステムを管理し運用する仲介業者（図示せず）のサーバコンピュータが同様な処理を行い、メーカー１０２から登録した顧客１０４の購買情報に対して課金することもできる。
【０１１１】
また、この非接触型ＩＣカード部１０７は、携帯電話機１０３から脱着可能に設けられてもよい。
【０１１２】
尚、図９乃至図１４等に示す処理を行うプログラムはＣＤ−ＲＯＭ等の記録媒体に保持させて流通させてもよいし、このプログラムを通信回線を介して送受することもできる。
【０１１３】
以上、添付図面を参照しながら、本発明に係るポイント・キャンペーンサービスシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１１４】
【図１】本発明の本実施の形態に係るポイント・キャンペーンサービスシステム１００の概略構成を示す図
【図２】サーバ１０１のハードウェア構成図
【図３】記憶部２０２が保持する情報を示す図
【図４】情報データベース３０１のデータ構造を示す図
【図５】携帯型端末１０３のハードウェア構成図
【図６】非接触型ＩＣカード部１０７のデータ構造の一態様を示す図
【図７】非接触型ＩＣカード部１０７のサービス情報領域５３０のデータ構造の一態様を示す図
【図８】自動販売機１０５のハードウェア構成図
【図９】ポイント・キャンペーンサービスシステム１００全体の処理の流れと処理手段を示す図
【図１０】会員登録処理の処理手順の処理手順を示すフローチャート
【図１１】自動販売機１０５の商品販売処理の処理手順を示すフローチャート
【図１２】自動販売機１０５の商品販売処理の処理手順を示すフローチャート
【図１３】ポイント登録処理とクーポン提供処理の処理手順を示すフローチャート
【図１４】キャンペーン応募処理の処理手順を示すフローチャート
【符号の説明】
【０１１５】
１００………ポイント・キャンペーンサービスシステム
１０１………サーバ
１０２………メーカー
１０３………携帯型端末
１０４………顧客
１０５………自動販売機
１０７………非接触型ＩＣカード部
１０８………リーダライタ部
１０９………ネットワーク
１１０………Ｗｅｂサーバ
１１１………ポイント・キャンペーン提供手段
１１２………データベースサーバ
１２１………会員登録手段
１２２………ポイント登録手段
１２３………クーポン提供手段
１２４………キャンペーン提供手段
１２５………キャンペーン応募受付手段
１２６………利用履歴管理手段
１３１………会員登録要求手段
１３２………ポイント登録要求手段
１３３………クーポン取得要求手段
１３４………キャンペーン参加手段
１３５………キャンペーン応募手段
１４１………ＩＣカード読取／書込手段
１４２………クーポン利用手段
１４３………ポイント加算手段
１４４………キャンペーンポイント加算手段
１４５………利用履歴作成手段
１４６………購買利用履歴作成手段
２０１、４０１、５０１、６０１………制御部
２０２、４０２、５０２、６０２………記憶部
３０１………情報データベース
３１０………会員情報
３２０、５４０………ポイント情報
３３０、５８０………利用履歴情報
３４０、５５０………クーポン情報
３５０、５６０………キャンペーン情報
３６０………キャンペーンコンテンツ情報
５３０………サービス情報領域
５３１………会員ＩＤ
５７０………キャンペーンポイント情報
１０………商品
１１………商品選択ボタン
【図１】
2007241925.tif 000003
【図２】
2007241925.tif 000004
【図３】
2007241925.tif 000005
【図４】
2007241925.tif 000006
【図５】
2007241925.tif 000007
【図６】
2007241925.tif 000008
【図７】
2007241925.tif 000009
【図８】
2007241925.tif 000010
【図９】
2007241925.tif 000011
【図１０】
2007241925.tif 000012
【図１１】
2007241925.tif 000013
【図１２】
2007241925.tif 000014
【図１３】
2007241925.tif 000015
【図１４】
2007241925.tif 000016